(57)【特許請求の範囲】
【請求項１】
振動に応じて光軸と略直交する面内で駆動される被駆動部材と、
前記被駆動部材に対して相対移動可能且つ前記被駆動部材に支持されたブレ補正光学系と、
使用時において前記ブレ補正光学系に対して前記光軸方向に配列される通常光学系と
を備えるレンズ鏡筒において、
前記ブレ補正光学系は、前記被駆動部材に対して相対移動することで、前記通常光学系の光軸上に進入し且つ前記被駆動部材と一体となって前記光軸に略直交する面内で移動可能な使用位置と、非使用時に前記通常光学系の光軸上から退避した退避位置との間を移動すること
を特徴とするレンズ鏡筒。
【請求項２】
請求項１に記載のレンズ鏡筒において、
前記通常光学系の少なくとも一部は、前記退避位置における前記ブレ補正光学系に対して、前記通常光学系の光軸方向における位置が重なった状態で収容されること
を特徴とするレンズ鏡筒。
【請求項３】
請求項１又は請求項２に記載のレンズ鏡筒において、
前記ブレ補正光学系は、前記被駆動部材に備えられた回転軸回りに回転可能に軸支されること
を特徴とするレンズ鏡筒。
【請求項４】
請求項１から請求項３までのいずれか１項に記載のレンズ鏡筒において、
前記ブレ補正光学系が前記使用位置から前記退避位置へ移動する際に、前記被駆動部材を前記ブレ補正光学系の光軸と略直交する面内で移動させて所定の収納用位置に案内する案内部を備えること
を特徴とするレンズ鏡筒。
【請求項５】
請求項４に記載のレンズ鏡筒において、
前記案内部は、前記ブレ補正光学系が前記使用位置から前記退避位置へ移動する際に、前記被駆動部材に対して前記光軸方向に沿って近接する方向に相対移動する相対移動部材に固定され、前記相対移動と連動して前記被駆動部材を案内する斜面部を備えること
を特徴とするレンズ鏡筒。
【発明の詳細な説明】
【技術分野】
【０００１】
本発明は、カメラの撮影用レンズ群等を収容するレンズ鏡筒に関するものである。
【背景技術】
【０００２】
カメラの撮影用レンズ鏡筒は、その不使用時に光軸方向の寸法を短縮してカメラボディ内に収容するようにしたいわゆる沈胴式のものが知られている。
このような沈胴式のレンズ鏡筒は、収納時の全長をより短縮するため、複数のレンズ群のうち一部のレンズ群を、鏡胴に固定された回転軸回りに回転移動させて光軸と直交する方向に退避させ、これによって形成された空間部内に他のレンズ群を収容するようにしたものが知られている（例えば、特許文献１）。
【０００３】
また、カメラの撮影用レンズ鏡筒は、光学式のブレ補正装置を備えたものが知られている。ブレ補正装置は、光学系に加わった振動を角速度センサ等によって検出し、この振動に応じて複数のレンズ群のうち一部のレンズ群（ブレ補正レンズ群）を光軸と直交する面内で駆動することによって、結像面における像ブレを低減するものである。
【０００４】
レンズ鏡筒は、このようなブレ補正装置を備えたものであっても、上述したように一部のレンズ群を撮影時の光軸上から退避させてコンパクトに収納することが要望されている。
しかし、レンズの群構成によっては、レンズ鏡筒をコンパクトに収納するためにはブレ補正レンズ群を退避させなければならない場合があるが、この場合、ブレ補正レンズ群は撮影中のブレ補正制御時におけるシフト変位及びレンズ鏡筒の収容時における退避動作をともに行う必要があり、その支持機構が煩雑となる。
【特許文献１】特開２００３−３１５８６１号公報
【発明の開示】
【発明が解決しようとする課題】
【０００５】
本発明の課題は、簡単な構成によってブレ補正光学系を他の光学系の光軸上から退避させ、コンパクトに収容することができるレンズ鏡筒を提供することである。
【課題を解決するための手段】
【０００６】
本発明は、以下のような解決手段により、前記課題を解決する。
請求項１の発明は、振動に応じて光軸と略直交する面内で駆動される被駆動部材と、前記被駆動部材に対して相対移動可能且つ前記被駆動部材に支持されたブレ補正光学系と、使用時において前記ブレ補正光学系に対して前記光軸方向に配列される通常光学系とを備えるレンズ鏡筒において、前記ブレ補正光学系は、前記被駆動部材に対して相対移動することで、前記通常光学系の光軸上に進入し且つ前記被駆動部材と一体となって前記光軸に略直交する面内で移動可能な使用位置と、非使用時に前記通常光学系の光軸上から退避した退避位置との間を移動すること
を特徴とするレンズ鏡筒である。
【０００７】
請求項２の発明は、請求項１に記載のレンズ鏡筒において、前記通常光学系の少なくとも一部は、前記退避位置における前記ブレ補正光学系に対して、前記通常光学系の光軸方向における位置が重なった状態で収容されることを特徴とするレンズ鏡筒である。
請求項３の発明は、請求項１又は請求項２に記載のレンズ鏡筒において、前記ブレ補正光学系は、前記被駆動部材に備えられた回転軸回りに回転可能に軸支されることを特徴とするレンズ鏡筒である。
請求項４の発明は、請求項１から請求項３までのいずれか１項に記載のレンズ鏡筒において、前記ブレ補正光学系が前記使用位置から前記退避位置へ移動する際に、前記被駆動部材を前記ブレ補正光学系の光軸と略直交する面内で移動させて所定の収納用位置に案内する案内部を備えることを特徴とするレンズ鏡筒である。
請求項５の発明は、請求項４に記載のレンズ鏡筒において、前記案内部は、前記ブレ補正光学系が前記使用位置から前記退避位置へ移動する際に、前記被駆動部材に対して前記光軸方向に沿って近接する方向に相対移動する相対移動部材に固定され、前記相対移動と連動して前記被駆動部材を案内する斜面部を備えることを特徴とするレンズ鏡筒である。
【発明の効果】
【０００８】
本発明によれば、以下の効果を得ることができる。
（１）振動に応じて駆動される被駆動部材に対してブレ補正光学系を相対移動可能に支持し、この相対移動によってブレ補正光学系を通常光学系の光軸上から退避させるようにしたから、被駆動部材の駆動によってブレ補正光学系を退避可能に支持する機構に影響が及ぶことがなく、簡単な構成とすることができる。
（２）ブレ補正光学系が退避位置へ移動する際に、被駆動部材を所定の位置へ案内するようにしているから、レンズ鏡筒の収納時における被駆動部材のがたつき等を防止することができ、また、ブレ補正光学系の移動を公知のカム機構等によって行う場合に、その作動を確実なものにすることができる。
（３）案内部は、被駆動部材に対して光軸方向に沿って相対移動する相対移動部材に固定された斜面部を有する構成とすることによって、簡単な構成によって被駆動部材の案内を行うことができる。
【発明を実施するための最良の形態】
【０００９】
本発明は、簡単な構成によってブレ補正光学系を他の光学系の光軸上から退避させ、コンパクトに収容することができるレンズ鏡筒を提供するという目的を、ブレ補正制御によって駆動される振動枠に対してブレ補正レンズ群を回転可能に軸支し、この回転によってブレ補正レンズ群を他のレンズ群の光軸上から退避させることによって実現した。
【実施例】
【００１０】
以下、本発明を適用したレンズ鏡筒の実施例について説明する。本実施例のレンズ鏡筒は、例えばデジタルスチルカメラの撮影用レンズ鏡筒として用いられるものである。
図１は、本実施例のレンズ鏡筒のワイド端側における撮影状態（使用状態）を示す断面図である。図２は、レンズ鏡筒のテレ端における撮影状態を示す断面図である。図３は、図１のIII−III部矢視図である。
【００１１】
レンズ鏡筒は、撮影用レンズ群として例えば４群構成の多群ズームレンズを備えるものであって、この撮影用レンズ群は、撮影状態における光軸Ｉ方向像側から順に第１レンズ群Ｌ１、第２レンズ群Ｌ２、ブレ補正レンズ群（第３レンズ群）Ｌ３、第４レンズ群Ｌ４を備えている。
第１レンズ群Ｌ１及び第２レンズ群Ｌ２は、それぞれ光軸Ｉ方向に移動することによって撮影用レンズ群の焦点距離を変化させるズーミング用レンズ群であり、それぞれ円環状のレンズ枠を有する第１レンズ群室１０、第２レンズ群室２０に固定されている。
なお、ブレ補正レンズ群Ｌ３、第４レンズ群Ｌ４もズーミングレンズ用レンズとして機能し、光軸Ｉ方向に移動する。
【００１２】
ブレ補正レンズ群Ｌ３は、レンズ鏡筒に加わった振動に応じて光軸Ｉと略直交する面内で変位することによって結像面における像ブレを低減させるものであって、円環状のレンズ枠を有するブレ補正レンズ群室３０に固定され、このブレ補正レンズ群室３０は、後述するブレ補正ユニット２００の振動枠２１０に支持されている。
ここで、ブレ補正レンズ群Ｌ３以外のレンズ群Ｌ１，Ｌ２，Ｌ４は、このような変位を行わない通常光学系となっている。
【００１３】
第４レンズ群Ｌ４は、その光軸Ｉ方向の移動によって撮影用レンズ群の撮影距離を変更するフォーカシング用レンズ群であって、円環状のレンズ枠を有する第４レンズ群室４０に固定されている。
また、第４レンズ群室４０は、図示しないフォーカシング機構を用いて、公知のＡＦ制御によって光軸Ｉ方向に駆動されるようになっている。
【００１４】
また、レンズ鏡筒は、シャッタユニット５０、ＣＣＤ６０、ローパスフィルタ（ＬＰＦ）７０を備えている。
シャッタユニット５０は、ブレ補正レンズ群Ｌ３の入射側に設けられ、複数のプラスチック薄片によって構成されたシャッタ部を備え、ＣＣＤ６０への露光量を調節するものである。
ＣＣＤ６０は、撮影用レンズ群が結像した画像を電気的な信号に変換して出力する固体撮像素子であって、第４レンズ群Ｌ４の射出側に設けられている。
ＬＰＦ７０は、撮像画像上におけるモアレの発生を防止するために設けられる光学式のものであって、第４レンズ群Ｌ４とＣＣＤ６０との間に配置されている。
【００１５】
さらに、レンズ鏡筒は、第１レンズ群筒１１０、第２レンズ群保持枠１２０、ブレ補正レンズ群保持枠１３０、固定筒１５０、第１カム筒１６０、第２カム筒１７０、直進キー１８０、ＣＣＤ台１９０を備えている。
【００１６】
第１レンズ群筒１１０は、略円筒状に形成され、その内径側に第１レンズ群室１０が固定されている。第１レンズ群筒１１０は、第２カム筒１７０の内径側に挿入され、この第２カム筒１７０との間に形成されるカム機構によって、レンズ鏡筒の撮影状態と収納状態との間の移行時、及び、焦点距離の変更時に光軸Ｉ方向に移動可能であり、図１及び図２に示すように、撮影状態においてはレンズ鏡筒の対物側の先端部を構成するものである。
【００１７】
また、第１レンズ群筒１１０は、ガイド部材１１１、レンズバリアユニット１１２を備えている。
ガイド部材１１１は、後述するブレ補正ユニット２００の振動枠２１０を案内する案内部であって、第１レンズ群筒１１０の対物側の端面における第１レンズ群Ｌ１の外径側の領域から、光軸Ｉ方向像側に突き出して形成され、その先端側（光軸Ｉ方向像側）に近づくにつれて徐々に細くなるようにテーパ状に形成されている。このガイド部材１１１による案内動作については後に説明する。
【００１８】
レンズバリアユニット１１２は、第１レンズ群Ｌ１の対物側に設けられ、レンズ鏡筒の収納時に第１レンズ群Ｌ１の入射側の面部を保護するものであって、バリア１１３、バリア駆動リング１１４、バリア受け板１１５、バリアカバー１１６を備えている。
レンズバリアユニット１１２は、第１レンズ群筒１１０の対物側の端部に固定されている。
【００１９】
第２レンズ群保持枠１２０は、第２レンズ群室２０の外径側に装着された枠体であって、第１レンズ群筒１１０の内径側に挿入され、第１カム筒１６０との間に形成されるカム機構によって、レンズ鏡筒の撮影状態と収納状態との間の移行時、及び、焦点距離の変更時に、第１レンズ群筒１１０とは独立して光軸Ｉ方向に移動可能となっている。
ここで、第２レンズ群室２０は、その外周面部につば状に突き出して形成されたフランジ部を有し、このフランジ部をナット２１によって第２レンズ群保持枠１２０に締結されている。また、このフランジ部のナット２１に対する反対側の面部には、第２レンズ群Ｌ２の位置を微調整するための調整ワッシャ２２が備えられている。
【００２０】
ブレ補正レンズ群保持枠１３０は、ブレ補正レンズ群Ｌ３及びブレ補正レンズ群室３０を含むブレ補正ユニット２００を保持する枠体であって、第１レンズ群筒１１０の内径側に挿入され、第１カム筒１６０との間に形成されるカム機構によって、レンズ鏡筒の撮影状態と収納状態との間の移行時において、光軸Ｉ方向に移動可能となっている。
【００２１】
固定筒１５０は、図示しないカメラのボディ側に固定されるレンズ鏡筒の基部であって、略円筒状に形成され、レンズ鏡筒の最外径側に配置されている。
第１カム筒１６０、第２カム筒１７０は、それぞれ円筒状に形成され、図示しない連動機構によって、固定筒１５０に対して光軸I回りに回転可能となっている。
第１カム筒１６０は、固定筒１５０の内径側に挿入され、その外周面部に固定筒１５０の内周面に形成されたカム溝に挿入されるカムフォロワが形成され、内周面部に第２レンズ群保持枠１２０及びブレ補正レンズ群保持枠１３０にそれぞれ形成されたカムフォロワが挿入されるカム溝が形成されている。
第２カム筒１７０は、第１カム筒１６０のさらに内径側に挿入され、その内径側には第１レンズ群筒１１０が挿入されている。第２カム筒１７０は、その内周面に第１レンズ群筒１１０の外径側に形成されたカムフォロワが挿入されるカム溝が形成されている。
【００２２】
直進キー１８０は、第１レンズ群筒１１０、第２レンズ群保持枠１２０、ブレ補正レンズ群保持枠１３０を、第１カム筒１６０及び第２カム筒１７０の回転に関わらず固定筒１５０に対して光軸I方向に直進案内するものである。
ＣＣＤ台１９０は、固定筒１５０の光軸Ｉ方向像側の端部に固定され、その開口端を閉塞する面部であって、ＣＣＤ６０及びＬＰＦ７０が固定されるものである。
【００２３】
ブレ補正ユニット２００は、振動枠２１０、ボイスコイルモータ（ＶＣＭ）２２０、位置検出器２３０、ブレ補正ユニットカバー２４０、フレキシブルプリント基板（ＦＰＣ）２５０を備えている。
【００２４】
振動枠２１０は、ブレ補正レンズ群保持枠１３０の光軸Ｉ方向像側の面部に備えられ、ブレ補正レンズ群保持枠１３０に対して、光軸Ｉと直交する面内を平行移動可能に支持されている。また、振動枠２１０は、公知のブレ補正制御によって、光軸Ｉと直交する面内で駆動される被駆動部材である。
この振動枠２１０は、その外周縁部を凹ませて形成され、上述したガイド部材１１１が挿入される凹部２１０ａが設けられている。
また、振動枠２１０は、回転軸２１１、バネ２１２、回転止め２１３を備えている。
回転軸２１１は、振動枠２１０の光軸Ｉ方向像側の面部から突き出して形成されたピン状の部分であって、ブレ補正レンズ群室３０の外径側に突き出して形成されたアーム部３１の先端部を回転可能に軸支するものである。この回転軸２１１の中心軸は、光軸Ｉと略平行に配置されている。また、回転軸２１１は、通常撮影時における光軸Ｉの斜め上方に配置されている。
なお、本明細書において、通常撮影時とは、光軸Ｉ及び画面の長辺方向を略水平として撮影する際の状態を指すものとする。
【００２５】
バネ２１２は、回転軸２１１とブレ補正レンズ群室３０との接続部に設けられ、ブレ補正レンズ群室３０を、振動枠２１０に対して回転軸２１１回りの所定の方向（本実施例の場合には光軸Ｉ方向像側から見て時計回り）に回転付勢するものである。
回転止め２１３は、振動枠２１０の表面から突き出して形成された凸部であって、ブレ補正レンズ群室３０の外径側でありかつアーム部３１とは光軸に対して略対称に配置された突起部３２と当接することによって、バネ２１２の付勢力によるブレ補正レンズ群室３０の回転を規制するものである。
【００２６】
また、ブレ補正レンズ群室３０は、回転軸２１１との接続部において、回転軸２１１の周回りに形成されたカム面部３４が設けられている。このカム面部３４は、回転軸２１１の長手方向に沿った高さが回転軸２１１の周回りの角度に応じて連続的に変化するものであって、ブレ補正レンズ群室３０は、レンズ鏡筒が撮影状態から収納状態に移行する際に、ＣＣＤ台１９０に固定されたピン３３によってこのカム面部３４を押圧されることによって回転軸２１１回りに回転するようになっている。
【００２７】
ＶＣＭ２２０は、図示しないブレ補正制御部からの制御信号に応じて振動枠２１０を光軸Ｉと直交する方向に駆動するアクチュエータであって、図１、図２に示すように、コイル２２１、マグネット２２２、ヨーク２２３，２２４を備えている。
コイル２２１は、振動枠２１０に固定されている。
マグネット２２２は、ブレ補正レンズ群保持枠１３０に固定され、コイル２２１と対向して配置された永久磁石である。
ヨーク２２３は、マグネット２２２のコイル２２１とは反対側の面部に固定されている。
ヨーク２２４は、振動枠２１０の光軸Ｉ方向像側に配置され、ブレ補正レンズ群保持枠１３０に対して固定されたブレ補正ユニットカバー２４０に固定され、コイル２２１のマグネット２２２側とは反対側の面部に対向して配置されている。
【００２８】
本実施例において、ブレ補正ユニット２００は、レンズ鏡筒のピッチング、ヨーイングにそれぞれ対応したブレ補正を行うものであり、ＶＣＭ２２０は、ピッチング、ヨーイングに対して振動枠を駆動するものがそれぞれ設けられる。
図３に示すように、ＶＣＭ２２０Ｐは、通常撮影時における光軸Ｉの下側に配置されている。また、ＶＣＭ２２０Ｙは、通常撮影時における光軸Ｉの側方であって、ＶＣＭ２２０Ｐに対して光軸Ｉ回りの角度において９０°離間した位置に配置されている。
【００２９】
位置検出器２３０は、振動枠２１０に固定されたホール素子と、ブレ補正レンズ群保持枠１３０に固定されたマグネットとを備え、振動枠２１０のブレ補正レンズ群保持枠１３０に対する変位に起因してホール素子が検出する磁界の強さの変化に基づいて、ブレ補正レンズ群保持枠１３０に対する振動枠２１０の位置を検出するものである。
位置検出器２３０Ｐは、通常撮影時におけるＶＣＭ２２０Ｙの上側の領域に配置されている。
位置検出器２３０Ｙは、ＶＣＭ２２０Ｙに対して光軸Ｉを挟んだ反対側の領域に配置されている。
【００３０】
ＦＰＣ２５０は、固定筒１５０と振動枠２１０とにわたして形成され、ＶＣＭ２２０のコイル２２１への電力供給や、位置検出器２３０のホール素子の出力信号の伝達を行うものである。
【００３１】
次に、本実施例のレンズ鏡筒が撮影状態から収納状態に移行する際の動作について説明する。
図３は、レンズ鏡筒の撮影状態から収納状態への移行中の状態を示す横断面図である。
先ず、レンズ鏡筒は、第１カム筒１６０及び第２カム筒１７０を回転駆動して、第１レンズ群筒１１０及び第２レンズ群保持枠１２０を光軸Ｉ方向像側に移動させる。
そして、第１レンズ群筒１１０の移動と連動して、第１レンズ群筒１１０に固定されたガイド部材１１１は、第１レンズ群Ｌ１と第３レンズ群Ｌ３との間隔が撮影状態における最小値よりも小さい状態において、ブレ補正ユニット２００の振動枠２１０に形成された凹部２１０ａに挿入される。
【００３２】
上述したようにガイド部材１１１は、その先端部（光軸Ｉ方向像側）から基部側（第１レンズ群筒１１０側）にかけて徐々に太くなるテーパ状に形成され、その表面部が光軸Ｉに対して傾斜した斜面状に形成されていることから、振動枠２１０は、ガイド部材１１１の挿入深さが増すとともに、凹部２１０ａの内面とガイド部材１１１が摺動することによって光軸Ｉと直交する面内で変位し、最終的にはブレ補正レンズ群Ｌ３の光軸が他のレンズ群の光軸と略一致した状態（センタリングされた状態）に拘束される（図４）。
【００３３】
そして、ブレ補正レンズ群Ｌ３が上述したようにセンタリングされた状態に拘束された後、さらに第１カム筒１６０を回転駆動することによって、ブレ補正レンズ群保持枠１３０が光軸Ｉ方向像側に移動を開始する。この移動によって、ＣＣＤ台１９０に固定されたピン３３は、ブレ補正レンズ群室３０のカム面部３４を押圧する。
【００３４】
図５は、レンズ鏡筒の収納状態を示す横断面図である。また、図６は、収納状態におけるレンズ鏡筒を、光軸を含む平面で切って見た断面図である。
ブレ補正レンズ群Ｌ３は、図５に示すように、ブレ補正レンズ群室３０のカム面部３４が押圧されることによって、他のレンズ群の光軸Ｉ上から退避する。
レンズ鏡筒は、ブレ補正レンズ群Ｌ３の退避終了後、第１レンズ群筒１１０、第２レンズ群保持枠１２０、ブレ補正レンズ群保持枠１３０をさらに光軸Ｉ方向像側に移動させて、図６に示すように、第４レンズ群Ｌ４と光軸Ｉ上から退避したブレ補正レンズ群Ｌ３とが光軸Ｉ方向において重なって配置された状態となる。
【００３５】
以上のように、本実施例によれば、以下の効果を奏することができる。
（１）ブレ補正制御によって駆動される振動枠２１０に回転軸２１１を固定し、ブレ補正レンズ群Ｌ３をこの回転軸２１１回りに回転させて光軸Ｉ上から退避させるようにしたから、ＶＣＭ２２０による振動枠２１０の駆動によってブレ補正レンズ群Ｌ３を退避させる機構に影響が及ぶことがなく、例えばブレ補正レンズ群の退避機構を鏡胴に対して固定する場合と比較して、簡単な構成とすることができる。
（２）レンズ鏡筒が使用状態から収納状態へ移行する際に、第１レンズ群筒１１０に固定されたテーパ状のガイド部材１１１を振動枠２１０の凹部２１０ａに挿入してセンタリングするようにしたから、簡単な構成によって振動枠２１０のがたつきを防止し、第３レンズ群室３０を回転駆動して退避させるカム機構の作動を確実なものにすることができる。
【００３６】
（変形例）
本発明は、以上説明した各実施例に限定されることなく、種々の変形や変更が可能であって、それらも本発明の均等の範囲内である。
（１）ブレ補正光学系を通常光学系の光軸上から退避させる機構は、上述した実施例の構成に限らず、他の構成としてもよい。例えば、ブレ補正光学系を回転軸回りに回転させて退避させる場合に、その回転軸を光軸に対して傾斜して配置してもよい。また、回転させて退避させるものに限らず、例えば平行移動等によって退避するようにしてもよい。
（２）振動枠等の被駆動部材を案内する案内部の構成も上述した実施例のものに限らず、他の構成によるものとしてもよい。例えば、ブレ補正光学系よりも像側に設けられる部材に案内部を設けるようにしてもよい。
（３）実施例は、例えば４群構成のズームレンズの第３群をブレ補正光学系としたものであったが、レンズ群の群構成やブレ補正光学系の配置は適宜変更することができる。
（４）実施例は、例えばデジタルスチルカメラの撮影用レンズ鏡筒に関するものであったが、本発明はこれに限らず、ムービーカメラ、フィルムカメラ等の撮影用レンズ鏡筒や、カメラ以外の光学機器に備えられるものであってもよい。
【図面の簡単な説明】
【００３７】
【図１】本発明を適用したレンズ鏡筒の実施例のワイド端側における撮影状態を示す断面図である。
【図２】図１のレンズ鏡筒のテレ側における撮影状態を示す断面図である。
【図３】図１のIII−III部矢視図である。
【図４】図1のレンズ鏡筒の撮影状態から収納状態へ移行中の状態を示す横断面図である。
【図５】図1のレンズ鏡筒の収納状態を示す横断面図である。
【図６】図１のレンズ鏡筒の収納状態を示す断面図である。
【符号の説明】
【００３８】
Ｌ１  第１レンズ群、Ｌ２  第２レンズ群、Ｌ３  レンズ群（第３）レンズ群、Ｌ４  第４レンズ群、
１０  第１レンズ群室、２０  第２レンズ群室、３０  ブレ補正レンズ群室、４０  第４レンズ群室
５０  シャッタユニット、６０  ＣＣＤ、７０  ＬＰＦ
１１０  第１レンズ群筒、１１１  ガイド部材、１３０  ブレ補正レンズ群保持枠
２００  ブレ補正ユニット、２１０  振動枠、２１１  回転軸、２１２  バネ、２１３  回転止め
【図１】
0004835095.tif 000002
【図２】
0004835095.tif 000003
【図３】
0004835095.tif 000004
【図４】
0004835095.tif 000005
【図５】
0004835095.tif 000006
【図６】
0004835095.tif 000007